(57)【要約】【課題】過去の実績における所望する日（各曜日、祝日、特定日）の売上動向に基づいて、売上目標額を設定することができるようにする。【解決手段】本発明に係るデータ処理装置１によれば、祝日、定休日、特定日の情報を格納したカレンダーテーブル及び日々の取引情報を格納した日次売上集計ファイルに基づいて、過去の実績における、各日の売上構成比及び平均売上額を算出し、売上構成比が最低の日の売上比率を１として各日の売上比率を算出し、売上比率格納データベースに格納する。また、対象月の各日の日数をカレンダーテーブルより取得し、売上比率格納データベースから各日の売上比率を取得し、各日の売上比率を、各日の売上比率×日数の合計値で除算して目標率を算出し、月次目標格納データベースから取得した対象月の目標売上額に各日の目標率を乗算することにより、各日の目標額を算出し、表示装置１２に表示する。【選択図】図１
2005107833.tif 000002
【特許請求の範囲】
【請求項１】
過去の売上額を日別に記憶する記憶手段と、
前記記憶手段の記憶内容に基づいて、各日別の売上額を合計した売上合計額に対する日別の売上構成比により基準日を判別する判別手段と、
過去の所望する日の売上額と、前記判別手段により判別された前記基準日の売上額とに基づいて、所望する日の売上比率を算出する売上比率算出手段と、
を備えたことを特徴とするデータ処理装置。
【請求項２】
前記判別手段は、前記記憶手段の記憶内容に基づいて、各曜日、祝日、予め定められた特定日のなかから各日別の売上額を合計した売上合計額に対する日別の売上構成比により基準日を判別し、
前記売上比率算出手段は、過去の各曜日、祝日、予め定められた特定日のうち所望する日の売上額と、前記判別手段により判別された前記基準日の売上額とに基づいて、所望する日の売上比率を算出することを特徴とする請求項１に記載のデータ処理装置。
【請求項３】
前記売上比率算出手段により算出された売上比率と、所望する月に対して予め設定された売上目標額から所望する日の売上目標額を算出する売上目標額算出手段を更に備えたことを特徴とする請求項１又は２に記載のデータ処理装置。
【請求項４】
前記売上比率算出手段は、所望する月における各日の売上比率を算出し、
前記売上目標額算出手段は、前記所望する月における各日の日数を算出し、各日別にこの算出された日数と前記売上比率算出手段により算出された売上比率とを乗算した結果の合計に基づいて、各日別の目標率を算出し、この目標率と前記所望する月の売上目標額から各日の売上目標額を算出することを特徴とする請求項３に記載のデータ処理装置。
【請求項５】
前記所望する月の各日の売上額を日付に対応付けて出力する出力手段を更に備えたことを特徴とする請求項４に記載のデータ処理装置。
【請求項６】
コンピュータに、
過去の売上額を日別に記憶手段に記憶する機能と、
前記記憶された内容に基づいて、各日別の売上額を合計した売上合計額に対する日別の売上構成比により基準日を判別する機能と、
過去の所望する日の売上額と、前記判別された前記基準日の売上額とに基づいて、所望する日の売上比率を算出する機能と、
を実現させるためのプログラム。
【発明の詳細な説明】
【技術分野】
【０００１】
本発明は、日別の売上目標額を算出し出力するデータ処理装置及びプログラムに関する。
【背景技術】
【０００２】
従来、月度・日別の売上目標額を設定するには、年度の売上目標額を１２等分することで、月度の売上目標額を算出し、更に月度の目標額を月内日数で分割することで、日別の売上目標額を算出する方法が用いられている。また、例えば、特許文献１には、顧客の投資予想額に基づいて、地域別の売上目標額を設定する技術が記載されており、特許文献２には、年間の売上目標額から月別、日別、時間帯別の予算額を算出する技術が記載されている。
【特許文献１】特開２００３−９９５９３号公報
【特許文献２】特開平１０−１８７８３１号公報
【発明の開示】
【発明が解決しようとする課題】
【０００３】
一般的に、店舗等においては、オフィス街に位置する場合は平日（月〜金曜日）の売上が高くなり、住宅街に位置するスーパーでは土日や祝日、特売日の売上が高くなることが多い。また、会社等においては、５、１０のつく特定日に売上が高くことが多い。このように、同じ店舗や会社であっても、各曜日、祝日、特定日（特売日等）毎に売上動向が異なる。しかしながら、従来の売上目標の設定方法では、過去の実績における所望する日（各曜日、祝日、特定日）の売上動向に基づいて、売上目標額を設定することができないという問題点があった。
【０００４】
本発明の課題は、過去の実績における所望する日（各曜日、祝日、特定日）の売上動向に基づいて、売上目標額を設定することができるようにすることである。
【課題を解決するための手段】
【０００５】
上記課題を解決するため、請求項１に記載の発明のデータ処理装置は、過去の売上額を日別に記憶する記憶手段と、前記記憶手段の記憶内容に基づいて、各日別の売上額を合計した売上合計額に対する日別の売上構成比により基準日を判別する判別手段と、過去の所望する日の売上額と、前記判別手段により判別された前記基準日の売上額とに基づいて、所望する日の売上比率を算出する売上比率算出手段と、を備えたことを特徴としている。
【０００６】
請求項６に記載の発明は、コンピュータに、過去の売上額を日別に記憶手段に記憶する機能と、前記記憶された内容に基づいて、各日別の売上額を合計した売上合計額に対する日別の売上構成比により基準日を判別する機能と、過去の所望する日の売上額と、前記判別された前記基準日の売上額とに基づいて、所望する日の売上比率を算出する機能と、を実現させるためのプログラムであることを特徴としている。
【発明の効果】
【０００７】
本発明によれば、過去の売上額を日別に記憶し、この記憶内容に基づいて、各日別の売上額を合計した売上合計額に対する日別の売上構成比により基準日を判別し、過去の所望する日の売上額と、前記判別された基準日の売上額とに基づいて、所望する日の売上比率を算出するので、過去の売上実績における所望する日の売上動向を明確にすることができ、過去の売上実績における所望する日の売上動向に基づく売上目標額の設定が可能となる。
【発明を実施するための最良の形態】
【０００８】
以下、図を参照して本発明の実施の形態を詳細に説明する。
まず、構成を説明する。
図１に、本発明に係るデータ処理装置１の機能的構成を示す。このデータ処理装置１は、過去の売上実績の売上構成比に基づいて、所望する日（各曜日、祝日、特定日（特売日等））の売上比率を算出し、この売上比率と月別の売上目標額から所望する日の売上目標額を算出する装置である。
【０００９】
図１に示すように、データ処理装置１は、ＣＰＵ１１、表示装置１２、入力装置１３、通信制御装置１４、ＲＡＭ１５、記憶装置１６等により構成され、各部はバス１７により接続されている。
【００１０】
ＣＰＵ（Central Processing Unit）１１は、記憶装置１６に記憶されているシステムプログラムを読み出し、ＲＡＭ１５内に形成されたワークエリアに展開し、該システムプログラムに従って各部を制御する。また、ＣＰＵ１１は、記憶装置１６に記憶されている各種処理プログラムを読み出してワークエリアに展開し、後述する売上比率算出処理、売上目標額算出・出力処理を始めとする各種処理を実行し、それらの処理結果をＲＡＭ１５のワークメモリに記憶する。そして、ワークエリアに格納した処理結果を記憶装置１６内の指定の保存先に保存させる。
【００１１】
表示装置１２は、出力手段であり、ＬＣＤ（Liquid Crystal Display）やＣＲＴ（Cathode Ray Tube）等により構成され、ＣＰＵ１１から入力される表示信号の指示に従って、表示画面上に、日別目標額表示画面１２１（図１３参照）等を表示する。
【００１２】
入力装置１３は、文字／英数字入力キー、カーソルキー、及び各種機能キー等を備えたキーボードと、ポインティングデバイスであるマウスと、を備えて構成され、キーボードで押下操作されたキーの押下信号とマウスによる操作信号とを、入力信号としてＣＰＵ１１に出力する。また、入力装置１３は、表示装置１２の表示画面を覆う透明なシートパネルに、指又は専用のスタイラスペンで触れることにより入力される位置情報を入力信号としてＣＰＵ１１に出力する、タッチパネルにより構成される態様としてもよい。
【００１３】
通信制御装置１４は、ネットワークインターフェースカード、モデム、ＴＡ(Terminal Adapter）、ルータ等により構成され、ＷＡＮ（Wide Area Network）、ＬＡＮ（Local Area Network）等のネットワーク回線上の外部機器（例えば、ネットワークプリンタ、取引情報を入力するための伝票入力端末等）と各種情報の送受信を行う。
【００１４】
ＲＡＭ（Random Access Memory）１５は、ＣＰＵ１１により実行されるシステムプログラム、各種処理プログラム、各処理において処理中のデータ、処理結果などを一時的に記憶するワークエリアを形成する。
【００１５】
記憶装置１６は、データ処理装置１に対応するシステムプログラム、各種処理プログラム、各種データ等が予め記憶されており、この記憶装置１６は、磁気的、光学的記録媒体、若しくは半導体メモリなどＣＰＵ１１で読取り可能な記録媒体を含んだ構成である。この記録媒体はＣＤ-ＲＯＭ（Compact Disc Read Only Memory）、メモリカード等の可搬型の媒体やハードディスク等の固定的な媒体を含む。また、記録媒体に格納するプログラム、データ等の一部若しくは全部をサーバやクライアントからＷＡＮ、ＬＡＮなどのネットワーク回線を介して受信する構成にしてもよく、更に、記録媒体はネットワーク回線上に構築されたサーバやクライアントの記録媒体であってもよい。
【００１６】
本実施の形態において、記憶装置１６は、図２に示すように、日次売上集計ファイル１６１、月次売上集計ファイル１６２、売上比率格納データベース１６３、月次目標額格納データベース１６４、日次目標額格納データベース１６５、システム制御テーブル１６６、カレンダーテーブル１６７を少なくとも有して構成される。
【００１７】
日次売上集計ファイル１６１は、入力装置１３や通信制御装置１４を介して入力された日々の取引情報を日別に集計した結果を蓄積したファイルである。即ち、日次売上集計ファイル１６１は、過去の売上額を日別に記憶しているファイルである。月次売上集計ファイル１６２は、入力装置１３や通信制御装置１４を介して入力された日々の取引情報を月別に集計した結果を蓄積したファイルである。即ち、月次売上集計ファイル１６２は、過去の売上額を月別に記憶しているファイルである。
【００１８】
売上比率格納データベース１６３は、後述する売上比率算出処理（図６参照）で算出された各曜日、祝日、特定日の売上比率を格納するデータベースであり、図３に示すように、年月度、月曜日売上比率、火曜日売上比率、水曜日売上比率、木曜日売上比率、金曜日売上比率、土曜日売上比率、日曜日売上比率、祝日売上比率、特定日１〜６の売上比率を項目としている。各レコードは、年月度は文字型、各売上比率は数値型で格納される。年月度項目にはインデックスが貼られており、年月度順にレコードをソートしたり、特定の年月度のレコードを抽出したりすることが可能である。
【００１９】
月次目標額格納データベース１６４は、年月度毎に設定された売上目標額を格納するデータベースであり、図４に示すように、年月度、目標額を項目としている。各レコードは、年月度は文字型、目標額は数値型で格納される。年月度にはインデックスが貼られており、年月度順にレコードをソートしたり、特定の年月度のレコードを抽出したりすることが可能である。
【００２０】
日次目標額格納データベース１６５は、後述する売上目標額算出・出力処理（図１１参照）で設定された、目標設定月における日別の目標額（売上目標額）を格納するデータベースであり、図５に示すように、年月日、年月度、目標額を項目としている。各レコードは、年月日及び年月度は文字型、目標額は数値型で格納される。年月日項目にはインデックスが貼られており、年月日順にレコードをソートしたり、特定の日のレコードを抽出したりすることが可能である。
【００２１】
システム制御テーブル１６６は、入力装置１３により入力された運用情報設定を格納したテーブルファイルであり、例えば、特定日の情報、目標額算出方法（丸めなし、丸め１，０００円未満切り上げ等）等が格納されている。カレンダーテーブル１６７は、入力装置１３により入力された祝日と自社定休日の情報を格納したテーブルファイルである。
【００２２】
次に、動作について説明する。
図６に、ＣＰＵ１１により実行される売上比率算出処理を示す。この売上比率算出処理は、例えば、所望する月、即ち、対象となる年月度が指定され、売上比率算出が指示された際に実行される。なお、毎月指定日（例えば、月末等）に、来月の各日の売上比率を自動的に算出するようにしてもよい。
【００２３】
まず、入力装置１３により「前年度」「前年同月度」「当年前月度」の区分の中から売上構成比算出に用いる過去の売上実績の区分が選択入力され（ステップＳ１）、選択された区分に基づいて、図７に示す祝日売上構成比算出処理（ステップＳ２）、図８に示す特定日売上構成比算出処理（ステップＳ３）、図９に示す各曜日売上構成比算出処理（ステップＳ４）の各処理が実行され、過去の売上実績における祝日、特定日、各曜日の売上構成比がそれぞれ算出される。
【００２４】
図７に示す祝日売上構成比算出処理において、カレンダーテーブル１６７より、図６のステップＳ１で選択された区分における祝日情報が取得され（ステップＳ１０１）、この祝日情報及び日次売上集計ファイル１６１に基づいて、その区分における祝日売上合計額及び売上合計額が集計される（ステップＳ１０２）。なお、売上のない定休日は、祝日であっても対象外とされる。
【００２５】
例えば、「前年度」が選択入力された場合、カレンダーテーブル１６７より、対象となる年月度の前年度の祝日情報が取得され、この祝日情報及び日次売上集計ファイル１６１に基づいて、前年度における祝日売上合計額及び売上合計額が集計される。
「前年同月度」が選択入力された場合、カレンダーテーブル１６７より、対象となる年月度の前年同月度の祝日情報が取得され、この祝日情報及び日次売上集計ファイル１６１に基づいて、前年同月度における祝日売上合計額及び売上合計額が集計される。
「同年前月度」が選択入力された場合、カレンダーテーブル１６７より、対象となる年月度の同年前月度の祝日情報が取得され、この祝日情報及び日次売上集計ファイル１６１に基づいて、同年前月度における祝日売上合計額及び売上合計額が集計される。
【００２６】
次いで、ステップＳ１０２で集計された祝日売上合計額が祝日日数で除算されることにより祝日の平均売上額が算出され（ステップ１０３）、この算出された祝日の平均売上額がステップＳ１０３で集計された売上合計額で除算されることにより祝日の売上構成比が算出され（ステップＳ１０４）、祝日の平均売上額及び売上構成比がＲＡＭ１５に格納され、図８に示す特定日売上構成比算出処理に移行する。
【００２７】
図８に示す特定日売上構成比算出処理において、システム制御テーブル１６６より、図６のステップＳ１で選択された区分における特定日情報が取得され（ステップＳ２０１）、この特定日情報及び日次売上集計ファイル１６１に基づいて、その区分における各特定日の売上合計額及び売上合計額が集計される（ステップＳ２０２）。なお、売上のない定休日は特定日であっても対象外とされる。また、祝日にあたる特定日についても、重複を避けるために対象外とされる。
【００２８】
例えば、「前年度」が選択入力された場合、システム制御テーブル１６６より、対象となる年月度の前年度の特定日情報が取得され、この特定日情報及び日次売上集計ファイル１６１に基づいて、前年度における各特定日の売上合計額及び売上合計額が集計される。
「前年同月度」が選択入力された場合、システム制御テーブル１６６より、対象となる年月度の前年同月度の特定日情報が取得され、この特定日情報及び日次売上集計ファイル１６１に基づいて、前年同月度における各特定日の売上合計額及び売上合計額が集計される。
「同年前月度」が選択入力された場合、システム制御テーブル１６６より、対象となる年月度の同年前月度の特定日情報が取得され、この特定日情報及び日次売上集計ファイル１６１に基づいて、同年前月度における各特定日の売上合計額及び売上合計額が集計される。
【００２９】
次いで、ステップＳ２０２で集計された各特定日の売上合計額が各特定日の日数で除算されることにより各特定日の平均売上額が算出され（ステップ２０３）、この算出された各特定日の平均売上額がそれぞれステップＳ２０３で集計された売上合計額で除算されることにより各特定日の売上構成比が算出され（ステップＳ２０４）、各特定日の平均売上額及び売上構成比がＲＡＭ１５に格納され、図９示す各曜日売上構成比算出処理に移行する。
【００３０】
図９に示す各曜日売上構成比算出処理において、カレンダーテーブル１６７より、図６のステップＳ１で選択された区分における曜日情報が取得され（ステップＳ３０１）、曜日情報及び日次売上集計ファイル１６１に基づいて、その区分における各曜日の売上合計額及び売上合計額が集計される（ステップＳ３０２）。なお、売上のない定休日は対象外とされる。また、祝日、特定日についても、重複を避けるために対象外とされる。
【００３１】
例えば、「前年度」が選択入力された場合、カレンダーテーブル１６７より、対象となる年月度の前年度の曜日情報が取得され、この曜日情報及び日次売上集計ファイル１６１に基づいて、前年度における各曜日の売上合計額及び売上合計額が集計される。
「前年同月度」が選択入力された場合、カレンダーテーブル１６７より、対象となる年月度の前年同月度の曜日情報が取得され、この曜日情報及び日次売上集計ファイル１６１に基づいて、前年同月度における各曜日の売上合計額及び売上合計額が集計される。
「同年前月度」が選択入力された場合、カレンダーテーブル１６７より、対象となる年月度の同年前月度の曜日情報が取得され、この曜日情報及び日次売上集計ファイル１６１に基づいて、同年前月度における各曜日の売上合計額及び売上合計額が集計される。
【００３２】
次いで、ステップＳ３０２で集計された各曜日の売上合計額が各曜日の日数で除算されることにより各曜日の平均売上額がそれぞれ算出され（ステップ３０３）、この算出された各曜日の平均売上額がステップＳ３０３で集計された売上合計額でそれぞれ除算されることにより各曜日の売上構成比がそれぞれ算出され（ステップＳ３０４）、各曜日の平均売上額及び売上構成比がＲＡＭ１５に格納され、処理は図６のステップＳ５に移行する。
【００３３】
図６のステップＳ５においては、ステップＳ２〜Ｓ４の各処理でＲＡＭ１５に格納された各日の売上構成比が比較され、売上構成比が最低の日（定休日は除く）が判別され（ステップＳ５）、売上構成比が最低の日の売上比率が１に設定される（ステップＳ６）。次いで、売上構成比が最低の日以外の各日の平均売上額が、それぞれ売上構成比が最低の日の平均売上額で除算されることにより、売上構成比が最低の日以外の各日の売上比率が算出される（ステップＳ７）。そして、各日の売上比率がそれぞれ売上比率格納データベース１６３に格納される（ステップＳ８）。
【００３４】
例えば、ステップＳ２〜Ｓ４の各処理で算出された各日の平均売上額及び売上構成比が図１０に示す値であった場合、月曜〜木曜日が売上構成日が最低の日と判別され、この日の売上比率が１に設定される。金曜日、土曜日、日曜日、祝日、特定日１（１５日）、特定日２（２０日）の各日の売上比率は、各平均売上額が月曜日の平均売上額で除算されることにより算出される。例えば、金曜日の売上比率は、
１２０，０００÷１００，０００＝１．２
となる。ここで、水曜日は、売上のない定休日である。
【００３５】
なお、ここでは、各日の売上比率を全て求めることとしたが、入力装置１３等の指示に基づいて、所望する日、例えば、祝日の売上比率のみを求めることも可能である。このように、過去の実績に基づいて所望する各日の売上比率を求めることにより、過去の売上動向に基づく各日の売上目標をたてることが可能となる。
【００３６】
次に、目標売上額算出・出力処理について説明する。図１１に、ＣＰＵ１１により実行される目標売上額算出・出力処理のフローチャートを示す。この目標売上額算出・出力処理は、例えば、入力装置１３により、所望する月、即ち、対象となる年月度が指定され、目標売上額算出・出力が指示された際に実行される。
【００３７】
まず、目標売上額の算出対象となる年月度のカレンダーテーブル１６７から目標設定を行う月の各日（各曜日、祝日、特定日１、２）の日数がそれぞれ取得され（ステップＳ１１）、売上比率格納データベース１６３から各日（各曜日、祝日、特定日１、２）の売上比率がそれぞれ取得される（ステップＳ１２）。次いで、各日の「売上比率×日数」の合計（月曜日売上比率×月曜日数＋火曜日売上比率×火曜日日数＋水曜日売上比率×水曜日数＋木曜日売上比率×木曜日日数＋金曜日売上比率×金曜日数＋土曜日売上比率×土曜日日数＋日曜日売上比率×日曜日数＋祝日売上比率×祝日日数＋特定日１売上比率×特定日１日数＋特定日２売上比率×特定日２日数）が算出され（ステップＳ１３）、各日の売上比率をこの算出された「売上比率×日数」の合計値で除算することにより、各日の目標率が算出される（ステップＳ１４）。そして、月次目標額格納データベース１６４より、対象月の売上目標額が取得され（ステップＳ１５）、取得された売上目標額に各日の目標率を乗算することにより、各日の売上目標額が算出される（ステップＳ１６）。
【００３８】
例えば、売上比率格納データベース１６３から取得された各日の売上比率及びカレンダーテーブル１６７から取得された日数が図１２（ａ）の表に示す値である場合（水曜日は売上のない定休日）、ステップＳ１３において、下記の計算式が演算される。
１×４＋１×４＋１×４＋１.２×３＋１.５×４＋２×５＋３×１＋１.７×１＋１.８×１＝３８.１
次いで、ステップＳ１４により、各日の売上比率が３８.１で除算され、各日の目標率が算出される（図１２（ｂ）参照）。そして、ステップＳ１６において、売上目標額に各日の目標率を乗算することにより各日の売上目標額が算出される。
例えば、対象月の売上目標額が７１０００円の場合、
月曜日〜木曜日目標額＝７１,０００×１   ÷３８.１ ＝１８６,３５１
金曜日目標額        ＝７１,０００×１.２÷３８.１ ＝２２３,６２２
土曜日目標額        ＝７１,０００×１.５÷３８.１ ＝２７９,５２７
日曜日目標額        ＝７１,０００×２   ÷３８.１ ＝３７２,７０３
祝日目標額          ＝７１,０００×３   ÷３８.１ ＝５５９,０５５
特定日１（１５日）目標額＝７１,０００×１.７÷３８.１ ＝３１６,７９７
特定日２（２０日）目標額＝７１,０００×１.８÷３８.１ ＝３３５,４３３
ただし、水曜日は定休日であるので目標額は０である。
【００３９】
なお、ここでは、対象月の各日の売上目標額を全て求めることとしたが、入力装置１３からの指示等に基づいて、所望する日、例えば、祝日の売上目標額のみを求めることも可能である。
【００４０】
目標額算出後、算出された目標額及びカレンダーテーブル１６７に基づいて、日別の目標額が表示装置１２に画面表示される（ステップＳ１７）。画面表示後、月の売上目標額と、日別の目標額を合計した値の差額が調整入力され、更新が指示されると（ステップＳ１８）、日次目標額格納データベース１６５に日別の目標額が格納される（ステップＳ１９）。
【００４１】
図１３は、ステップＳ１７で表示装置１２に表示される日別目標額表示画面１２１の一例を示す図である。図１３に示すように、日別目標額表示画面１２１には、目標額算出方法（丸めなし、丸め１００００円未満切り上げ等）、目標設定年月度、各日の売上比率、月度目標額、目標額合計、月度目標額と目標額合計との差額等の、日別目標額算出に係る情報及び日付に対応付けて各日の目標額が表示されている。目標額算出方法は、システム制御テーブル１６６に設定されており、図１１のステップＳ１６では、システム制御テーブル１６６に基づいて、目標額を算出する。また、日別目標額表示画面１２１において差額が表示されている場合は、当該画面上のある目標額をクリックして加減することにより、目標額を調整することができる。調整後、「更新ボタン」が押下されると、各日別の目標額が日次目標格納データベース１６５に格納される。
【００４２】
なお、この日別目標額表示画面１２１は、入力装置１３から当該画面の表示及び所望する月を入力することにより、いつでも表示することが可能である。
【００４３】
また、日別目標額は、ネットワーク等によりデータ処理装置１に接続されたプリンタから紙等の記録媒体に出力することも可能である。
【００４４】
以上説明したように、データ処理装置１によれば、祝日、定休日、特定日の情報を格納したカレンダーテーブル１６７及び日々の取引情報を格納した日次売上集計ファイル１６１に基づいて、過去の実績における、各日（祝日、特定日、各曜日）の売上構成比及び各日の平均売上額を算出し、売上構成比が最低の日の売上比率を１として、他の日の平均売上額を売上構成比が最低の日の平均売上額でそれぞれ除算することにより各日の売上比率を算出し、売上比率格納データベースに１６３格納する。次いで、目標を設定しようとする対象月の各日（各曜日、祝日、特定日）の日数をカレンダーテーブル１６７より取得し、売上比率格納データベース１６３から各日の売上比率を取得し、各日の売上比率を、各日の売上比率×日数の合計値で除算して目標率を算出し、月次目標格納データベース１６４から取得した対象月の目標売上額に各日の目標率を乗算することにより、各日の目標額を算出し、日付に対応付けて表示装置１２に表示する。表示装置１２から、目標額の調整が行われ、更新が指示されると、日別の目標額を日次目標額格納データベース１６５に格納する。
【００４５】
従って、過去の実績における各日（祝日、特定日、各曜日）の売上比率を算出することにより売上動向を明確にすることができ、算出された売上比率及び月の目標売上額に基づいて、過去の実績における各日の売上動向に基づく日別の売上目標額を容易に設定、出力することができる。
【００４６】
なお、上記実施の形態における記述内容は好適な一例であり、これに限定されるものではない。
例えば、過去の売上額を時間帯毎に集計して保存しておき、過去の時間帯毎の売上構成比に基づいて、上記実施の形態で求めた日別の目標額から時間帯別の目標額を算出するようにしてもよい。このようにすれば、時間帯毎に売上目標が明確となり、日々の営業活動により一層役立てることができる。
【００４７】
また、上記実施の形態においては、過去の実績として、「前年度」、「前年同月度」又は「同年前月度」を利用することとしたが、前年度より更に遡った、例えば、３年前、５年前、１０年前等の売上実績を記憶しておき、売上構成比の算出時にこれらの実績を加味するようにしてもよい。
【００４８】
また、カレンダーテーブル１６７等に、天気、温度、湿度等を記憶しておき、目標額算出にこれらの情報を加味するようにしてもよい。
【００４９】
また、売上目標額は、会社全体、店舗毎、地域毎、商品毎等、様々な区分により算出することができる。
【００５０】
その他、データ処理装置１を構成する各装置の細部構成及び細部動作に関しても、本発明の趣旨を逸脱することのない範囲で適宜変更可能である。
【図面の簡単な説明】
【００５１】
【図１】本発明に係るデータ処理装置１の機能的構成を示すブロック図である。
【図２】図１の記憶装置１６に記憶されるファイル構成を示す図である。
【図３】図１の記憶装置１６に記憶される売上比率格納データベース１６３のレコードレイアウトを示す図である。
【図４】図１の記憶装置１６に記憶される月次目標額格納データベース１６４のレコードレイアウトを示す図である。
【図５】図１の記憶装置１６に記憶される日次目標額格納データベース１６５のレコードレイアウトを示す図である。
【図６】図１のＣＰＵ１１により実行される売上比率算出処理を示すフローチャートである。
【図７】図１のＣＰＵ１１により実行される祝日売上構成比算出処理を示すフローチャートである。
【図８】図１のＣＰＵ１１により実行される特定日売上構成比算出処理を示すフローチャートである。
【図９】図１のＣＰＵ１１により実行される各曜日売上構成比算出処理を示すフローチャートである。
【図１０】各日の平均売上額及び売上構成比と、売上構成比が最低の日である月曜日の売上比率を１とした場合に算出される各日の売上比率の例を示す図である。
【図１１】図１のＣＰＵ１１により実行される売上目標額算出・出力処理を示すフローチャートである。
【図１２】各日の売上比率、日数及び目標率の例を示す図である。
【図１３】図１の表示装置１２に表示される日別目標額表示画面１２１の一例を示す図である。
【符号の説明】
【００５２】
１  データ処理装置
１１  ＣＰＵ
１２  表示装置
１３  入力装置
１４  通信制御装置
１５  ＲＡＭ
１６  記憶装置
１７  バス
【図１】
2005107833.tif 000003
【図２】
2005107833.tif 000004
【図３】
2005107833.tif 000005
【図４】
2005107833.tif 000006
【図５】
2005107833.tif 000007
【図６】
2005107833.tif 000008
【図７】
2005107833.tif 000009
【図８】
2005107833.tif 000010
【図９】
2005107833.tif 000011
【図１０】
2005107833.tif 000012
【図１１】
2005107833.tif 000013
【図１２】
2005107833.tif 000014
【図１３】
2005107833.tif 000015